(57)【要約】【課題】ユーザが効率よく写真等の画像を選択することを可能とする画像表示装置等を提供する。【解決手段】画像出力受付端末は、複数の画像を、互いに類似する複数の画像からなる類似画像群に分類し、所定の基準に基づいて複数の画像の評価値を算出する。画像出力受付端末は、評価値がより低い未選択の画像を所定のサイズで表示するとともに、評価値がより高い画像を上記所定のサイズと比べて大きく表示した第１の表示状態での表示を行うともに、類似画像群の画像を選択可能に表示し、評価値がより低い画像を上記所定のサイズと比べて大きく表示した第２の表示形態での表示を行う。【選択図】図８
2019053534.tif 000002
【特許請求の範囲】
【請求項１】
複数の画像を、互いに類似する複数の画像からなる類似画像群に分類する分類手段と、
所定の基準に基づいて前記複数の画像の評価値を算出する評価手段と、
前記類似画像群の画像を選択可能に表示する表示手段と、
を有し、
前記表示手段は、前記類似画像群の画像を、評価値がより低い未選択の画像を所定のサイズで表示するとともに、評価値がより高い画像を前記所定のサイズと比べて大きく表示した第１の表示状態として表示することを特徴とする画像表示装置。
【請求項２】
前記表示手段は、ユーザの操作に応じて、前記類似画像群の画像を、前記第１の表示状態から第２の表示状態へと変更し、
前記第２の表示状態は、評価値がより低い画像を前記所定のサイズと比べて大きく表示するものであることを特徴とする請求項１に記載の画像表示装置。
【請求項３】
前記第２の表示状態は、評価値がより低い画像を、評価値がより高い画像と同じサイズで表示するものであり、
前記第２の表示状態において、評価値がより高い画像は、評価値がより低い画像と識別可能に表示されることを特徴とする請求項２記載の画像表示装置。
【請求項４】
前記表示手段は、前記第２の表示状態において画像の選択を受付けるとともに、ユーザの操作に応じて、前記類似画像群の画像を、前記第２の表示状態から前記第１の表示状態に変更し、
前記第２の表示状態において評価値がより低い画像が選択され、前記第２の表示状態から前記第１の表示状態へと変更された場合、前記第１の表示状態において、評価値がより低い選択中の画像を前記所定のサイズと比べて大きく表示することを特徴とする請求項２または請求項３に記載の画像表示装置。
【請求項５】
前記表示手段は、前記第２の表示状態において画像の選択を受付けるとともに、ユーザの操作に応じて、前記類似画像群の画像を、前記第２の表示状態から第３の表示状態に変更し、
前記第２の表示状態において評価値がより低い画像が選択され、前記第２の表示状態から前記第３の表示状態へと変更された場合、前記第３の表示状態において、評価値がより低い選択中の画像を他の画像と比べて大きく表示することを特徴とする請求項２または請求項３に記載の画像表示装置。
【請求項６】
コンピュータが、
複数の画像を、互いに類似する複数の画像からなる類似画像群に分類するステップと、
所定の基準に基づいて前記複数の画像の評価値を算出するステップと、
前記類似画像群の画像を選択可能に表示するステップと、
を実行し、
前記類似画像群の画像が、評価値がより低い未選択の画像を所定のサイズで表示するとともに、評価値がより高い画像を前記所定のサイズと比べて大きく表示した第１の表示状態として表示されることを特徴とする画像表示方法。
【請求項７】
コンピュータを、
複数の画像を、互いに類似する複数の画像からなる類似画像群に分類する分類手段と、
所定の基準に基づいて前記複数の画像の評価値を算出する評価手段と、
前記類似画像群の画像を選択可能に表示する表示手段と、
して機能させ、
前記表示手段は、前記類似画像群の画像を、評価値がより低い未選択の画像を所定のサイズで表示するとともに、評価値がより高い画像を前記所定のサイズと比べて大きく表示した第１の表示状態として表示することを特徴とするプログラム。
【発明の詳細な説明】
【技術分野】
【０００１】
本発明は、画像の選択を支援する画像表示装置等に関する。
【背景技術】
【０００２】
近年、デジタルカメラの普及や記録媒体の大容量化及び低価格化に伴い、デジタルカメラを使用した写真撮影が気軽に行われ、ユーザが撮り溜めた画像の枚数が増加する傾向にある。
【０００３】
例えば良い表情の瞬間の写真を撮るために、ユーザは同じ被写体を複数回撮影し、その中からより良い写真を選び出して保存したりプリントしたりしている。しかし、画像の枚数が多くなると、写真を選び出すのにも時間を要し、作業負担も大きくなる。
【０００４】
そのため、似た写真の中から良い写真を効率良く選び出すための様々な技術が提案されている。例えば特許文献１には、類似する写真をグループ化した類似画像群の各々の画像について、所定の評価尺度によって画像の好ましさを表した評価値を取得し、類似画像群の各画像を評価値の順に並べ替えて表示する方法が記載されている。
【０００５】
また、特許文献２には、類似する写真をグループ化し、かつ各グループの中で最良の写真を選別する方法について記載されている。この方法では、写真の類似判定を行い、類似している写真の中で基準に合うか識別し、基準に合わない写真を隠している。
【先行技術文献】
【特許文献】
【０００６】
【特許文献１】特開2007−097090号公報
【特許文献２】特表2016−505950号公報
【発明の概要】
【発明が解決しようとする課題】
【０００７】
ユーザにとって写真の選出作業は大変なものであり、特許文献１、２の技術によってその負担を軽減することは可能である。ただし、特許文献１では全ての画像が同じ大きさで表示されるので、この点では基準に合うものだけ表示する特許文献２のほうが写真は選びやすい。
【０００８】
しかしながら、良いとする写真や必要な写真の評価基準はいつも同じではなく、その都度異なるため、所定の評価尺度に従った「良い」写真を選んでも、必ずしもユーザの好みや写真の用途に適しているとは限らない。その場合ユーザは写真を選び直す必要があるが、特許文献２のように評価の低い写真を隠すと、評価の低い写真をユーザが選びたい場合に写真を見つけにくくなってしまう。
【０００９】
本発明は、このような課題に鑑みてなされたもので、ユーザが効率よく写真等の画像を選択することを可能とする画像表示装置等を提供することを目的とする。
【課題を解決するための手段】
【００１０】
前述した課題を解決するための第１の発明は、複数の画像を、互いに類似する複数の画像からなる類似画像群に分類する分類手段と、所定の基準に基づいて前記複数の画像の評価値を算出する評価手段と、前記類似画像群の画像を選択可能に表示する表示手段と、を有し、前記表示手段は、前記類似画像群の画像を、評価値がより低い未選択の画像を所定のサイズで表示するとともに、評価値がより高い画像を前記所定のサイズと比べて大きく表示した第１の表示状態として表示することを特徴とする画像表示装置である。
【００１１】
第１の発明によれば、画像表示装置は、複数の画像を類似画像群に分類するとともに、所定の基準に基づき画像を評価して、類似画像群の中で高評価の画像を低評価の画像に比べて大きく表示する。このように高評価の画像は大きく、低評価の画像は小さく表示されるため、似ている画像群の中から良好な画像を選別する作業負担を軽減しつつ、低評価の画像も所定のサイズで表示することで閲覧可能となり、ユーザの好みや用途に応じた画像を効率よく選び出すことが可能となる。
【００１２】
前記表示手段は、ユーザの操作に応じて、前記類似画像群の画像を、前記第１の表示状態から第２の表示状態へと変更し、前記第２の表示状態は、評価値がより低い画像を前記所定のサイズと比べて大きく表示するものであることが望ましい。
これにより、小さく表示していた低評価の画像も、ユーザの操作に応じて大きなサイズに変更して見やすく表示させることができる。
【００１３】
前記第２の表示状態は、評価値がより低い画像を、評価値がより高い画像と同じサイズで表示するものであり、前記第２の表示状態において、評価値がより高い画像は、評価値がより低い画像と識別可能に表示されることが望ましい。
これにより、各画像の評価の違いを示しながら評価の低い画像についてさらに大きく表示し、より見やすく表示することができる。
【００１４】
また、前記表示手段は、前記第２の表示状態において画像の選択を受付けるとともに、ユーザの操作に応じて、前記類似画像群の画像を、前記第２の表示状態から前記第１の表示状態に変更し、前記第２の表示状態において評価値がより低い画像が選択され、前記第２の表示状態から前記第１の表示状態へと変更された場合、前記第１の表示状態において、評価値がより低い選択中の画像を前記所定のサイズと比べて大きく表示することが望ましい。
あるいは、前記表示手段は、前記第２の表示状態において画像の選択を受付けるとともに、ユーザの操作に応じて、前記類似画像群の画像を、前記第２の表示状態から第３の表示状態に変更し、前記第２の表示状態において評価値がより低い画像が選択され、前記第２の表示状態から前記第３の表示状態へと変更された場合、前記第３の表示状態において、評価値がより低い選択中の画像を他の画像と比べて大きく表示することも望ましい。
これにより、ユーザによって選択された画像を評価の低い画像であっても重要な画像として目立たせることが可能となる。
【００１５】
第２の発明は、コンピュータが、複数の画像を、互いに類似する複数の画像からなる類似画像群に分類するステップと、所定の基準に基づいて前記複数の画像の評価値を算出するステップと、前記類似画像群の画像を選択可能に表示するステップと、を実行し、前記類似画像群の画像が、評価値がより低い未選択の画像を所定のサイズで表示するとともに、評価値がより高い画像を前記所定のサイズと比べて大きく表示した第１の表示状態として表示されることを特徴とする画像表示方法である。
【００１６】
第３の発明は、コンピュータを、複数の画像を、互いに類似する複数の画像からなる類似画像群に分類する分類手段と、所定の基準に基づいて前記複数の画像の評価値を算出する評価手段と、前記類似画像群の画像を選択可能に表示する表示手段と、して機能させ、前記表示手段は、前記類似画像群の画像を、評価値がより低い未選択の画像を所定のサイズで表示するとともに、評価値がより高い画像を前記所定のサイズと比べて大きく表示した第１の表示状態として表示することを特徴とするプログラムである。
【発明の効果】
【００１７】
本発明により、ユーザが効率よく写真等の画像を選択することを可能とする画像表示装置等を提供できる。
【図面の簡単な説明】
【００１８】
【図１】画像出力受付端末１の外観を示す図。
【図２】画像出力受付端末１の構成を示す図。
【図３】制御装置１０のハードウェア構成を示す図。
【図４】画像表示方法の流れを説明するフローチャート。
【図５】画像３３の表示サイズの決定について説明する図。
【図６】表示画面３０の例。
【図７】等しい大きさの画像３３をグリッド状に表示する例。
【図８】画像３３の表示状態の変更とプリントする画像３３の決定を行う流れを示すフローチャート。
【図９】第１の表示状態と第２の表示状態を示す図。
【図１０】画像３３の選択について説明する図。
【図１１】低評価の画像３３を選択している場合に第２の操作を行った例。
【図１２】第１の表示状態でプリントする画像３３を選択した例。
【図１３】第１の表示形態における画像３３の表示方法の例。
【図１４】第２の表示状態における画像３３の表示方法の例。
【図１５】表示画面３０ａの例。
【発明を実施するための形態】
【００１９】
以下、図面に基づいて本発明の実施形態を詳細に説明する。
【００２０】
（１．画像出力受付端末１）
図１は本発明の画像表示装置の実施形態に係る画像出力受付端末１の外観を示す図であり、図２は画像出力受付端末１の構成を示す図である。
【００２１】
画像出力受付端末１（画像表示装置）は、街頭や店頭に設置され、各種メディア（記憶媒体）やユーザ端末に記憶されている画像のうち、ユーザによって選択された画像のプリント出力を行う。
【００２２】
画像出力受付端末１は、制御装置１０、表示部１１、課金部１２、プリンタ１３、メディア入出力部１４、通信部１５、プリント物取出口１６等を有する。
【００２３】
制御装置１０は画像出力受付端末１の内部に設けられ、画像出力受付端末１の処理全体を制御する。
【００２４】
図３は制御装置１０のハードウェア構成を示す図である。図３に示すように、制御装置１０は、例えば制御部１０１、記憶部１０２、入力部１０３、通信制御部１０４等をバス等により接続して構成したコンピュータにより実現できる。但しこれに限ることなく、適宜様々な構成をとることができる。
【００２５】
制御部１０１はCPU、ROM、RAMなどから構成される。CPUは、記憶部１０２、ROMなどの記憶媒体に格納された制御装置１０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１０２、ROMなどからロードしたプログラムやデータを一時的に保持するとともに、制御部１０１が各種処理を行うために使用するワークエリアを備える。
【００２６】
記憶部１０２はハードディスクドライブやソリッドステートドライブ、フラッシュメモリ等であり、後述する処理に際し制御装置１０が実行するプログラム、プログラム実行に必要なデータ、OSなどが格納される。これらのプログラムやデータは、制御部１０１により必要に応じて読み出され実行される。
【００２７】
入力部１０３は制御装置１０に各種の設定入力を行うものである。
通信制御部１０４はネットワーク等を介した通信を媒介する通信インタフェースであり、外部のサーバ等との間で通信を行う。
【００２８】
図１、２の説明に戻る。表示部１１は、画像出力受付端末１の入力部を兼ねたタッチパネル付ディスプレイ等により実現される。表示部１１は、画像出力受付端末１の上部正面に配置され、ユーザの操作・選択に係る各種の画面を表示し、画面上のタッチ操作によるユーザの指示入力等を受付ける。
【００２９】
課金部１２は、硬貨や紙幣の投入口、つり銭返却口、レシート取出口、レシートプリンタ等（不図示）を備え、ユーザからの課金やレシートの発行を管理する。
【００３０】
プリンタ１３は、ユーザによって選択された画像をプリントするものであり、画像出力受付端末１の内部に設けられる。画像をプリントしたプリント物はプリント物取出口１６に排出される。プリンタ１３の方式や設置台数等は特に問わない。また、プリンタ１３は画像出力受付端末１から分離して設置されてもよい。
【００３１】
メディア入出力部１４は、記録媒体に予め記憶されている画像を読み込む。記録媒体は、例えばDVD−ROM/DVD−RW/DVD−RAM/ブルーレイディスク/CD−ROM/CD−R/CD−RW、コンパクトフラッシュ（登録商標）、SD(Secure Digital)カード、ミニSDカード、マイクロSDカード、xD−ピクチャーカード、Smart Media（登録商標）、MEMORY STICK（登録商標）、USB(Universal Serial Bus)メモリ等であるが、これらに限ることはない。
【００３２】
通信部１５は、無線通信等によってユーザ端末に予め記憶されている画像を取得するものである。ユーザ端末は、例えば、スマートフォンやタブレット端末等のコンピュータ端末である。
【００３３】
（２．画像表示方法）
次に、本実施形態に係る画像表示方法の流れを説明する。図４は画像表示方法の流れを説明するフローチャートであり、図４の各ステップは画像出力受付端末１の制御装置１０によって実行される。
【００３４】
画像出力受付端末１は、メディア入出力部１４によってユーザの記録媒体を読取るか、または通信部１５によってユーザ端末から画像を受信することで複数の画像を取得する（Ｓ１）。
【００３５】
次に、画像出力受付端末１は、Ｓ１で取得した複数の画像を、互いに類似する複数の画像からなる類似画像群４に分類する（Ｓ２；分類手段）。
【００３６】
画像の分類方法は特に限定されず、既知の技術を適用することが可能である。例えば各画像の特性値を求め、画像間の特性値の差が所定の閾値以下であればそれらの画像を類似した一まとまりの画像群（類似画像群４）とする。特性値は画像の特徴を表わす値であればよく、例えば画像に付加情報として付された撮影日時、撮影場所、撮影条件などを用いることができる。その他、エッジ検出処理を行って得られた画像のエッジ形状についての値、色のヒストグラム等から得られた画像の色についての値など、画像解析を行って得られる値でもよい。
【００３７】
画像出力受付端末１は、さらに、所定の基準に基づいて各画像の評価値を算出する（Ｓ３；評価手段）。
【００３８】
上記の基準や評価値の算出方法も特に限定されない。例えば画像の画質に基づき評価値を算出してもよく、画素数の多い画像に高い評価値を与えることもできる。また既知の画像認識処理によって得た被写体情報に基づき評価値を算出することもでき、人物が画像の中央に近い位置に写っている写真に高い評価値を与えたり、顔領域を検出して目の開き具合、笑顔度、顔の向き、表情等を評価の基準としたり、被写体の人数、年齢などを評価の基準としてもよい。評価値の算出については、ユーザの好みや用途に応じて様々な基準を採用できる。
【００３９】
Ｓ３では、Ｓ１で読み込んだ全ての画像について同じ基準で評価値を算出するものとする。画像出力受付端末１は、いくつかの基準を選択肢として提示し、ユーザによる基準の設定を可能としてもよい。
【００４０】
画像出力受付端末１は、Ｓ２における画像の分類結果である類似画像群４のそれぞれについて、当該類似画像群４に含まれる各画像の表示サイズを決定する（Ｓ４）。
【００４１】
Ｓ４では、Ｓ３で求めた評価値に基づいて、類似画像群４内において、評価値がより低い画像３３（以下、低評価の画像３３ということがある）の表示サイズを所定のサイズとするとともに、評価値がより高い画像３３（以下、高評価の画像３３ということがある）の表示サイズを上記所定のサイズに比べて大きくする。例えば図５に示すように、類似画像群４の中で最も評価値が高い１つの画像３３が大きく表示され、その他の評価値が低い画像３３は、より小さく表示されるようにする。このような相対的な評価値の大小に応じた表示サイズは適宜定めることができる。
【００４２】
こうしてすべての類似画像群４について各画像の表示サイズを決定すると、画像出力受付端末１は、Ｓ４で決定したサイズで、Ｓ１で取得した各画像を表示部１１に初期表示する（Ｓ５）。
【００４３】
図６はＳ５における表示画面３０の例である。表示画面３０ではＳ１で取得した画像３３を重ねることなく並べてサムネイル表示し、類似画像群４ごとにそれぞれ一まとまりに表示される。この例では、類似画像群４内の画像３３の横方向の間隔ｄ１が、類似画像群４間の画像３３の横方向の間隔ｄ２よりも大きくなる。このように類似画像群４ごとに画像３３をまとめることで、図７のように等しい大きさの画像３３を単にグリッド状に表示する場合に比べ、類似している画像がわかりやすくなる。類似画像群４については、上記のように類似画像群４内の画像３３の間隔を類似画像群４間の画像３３の間隔より小さくすることで一まとまりであることを示すほか、類似画像群４毎に列や行を変えて画像３３の表示を行ってもよい。
【００４４】
なお、図６における点線の枠は類似画像群４のまとまりを示す仮想線であり、実際に表示される線ではないが、このような枠を実際に表示してもよい。また、枠線に代えて類似画像群４の背景色を他の部分と変えることで一まとまりであることをわかるようにしてもよい。なお、類似画像群４内では、ファイル名や撮影日時順に画像３３が並べられるが、これに限ることはない。
【００４５】
表示画面３０には、画像３３の他、印刷ボタン３６が表示される。印刷ボタン３６は選択した画像３３をプリントする際に選択されるボタンである。なお、画像出力受付端末１では画像３３の編集を行うことも可能であるが、以降の処理には特に関係が無いのでここでは説明を省略する。
【００４６】
フローの説明に戻る。画像出力受付端末１は、ユーザの操作に応じて画像３３の表示状態の変更とプリントする画像３３の決定を行い（Ｓ６；表示手段）、その画像３３をプリンタ１３によってプリントする（Ｓ７）。Ｓ６の処理については後述する。
【００４７】
（３．画像３３の表示状態の変更とプリントする画像３３の決定）
図８はＳ６の処理を示すフローチャートであり、図８の各ステップは画像出力受付端末１の制御装置１０によって実行される。
【００４８】
本実施形態では、ユーザの操作に応じて、類似画像群４における画像３３の表示が図９（ａ）に示す第１の表示状態と図９（ｂ）に示す第２の表示状態の間で遷移し、第２の表示状態においてプリントする画像３３を選択可能に表示する。
【００４９】
図９（ａ）に示す第１の表示状態は、低評価且つ未選択の画像３３を所定のサイズで表示するとともに、高評価の画像３３を当該所定のサイズと比べて大きく表示した状態であり、図６の表示画面３０での表示状態に対応する。
【００５０】
図９（ｂ）に示す第２の表示状態では、低評価の画像３３が上記の所定サイズよりも大きく、且つ高評価の画像３３よりも小さく表示される。低評価の画像３３を第２の表示状態においてどの程度大きく表示するかは、表示スペース等を考慮して適宜定めることができ、特に限定されない。なお、第２の表示状態では各画像３３に選択用のチェックボックス６が表示される。
【００５１】
画像出力受付端末１では、図９（ａ）に示す第１の表示状態においてユーザによる第１の操作を待機しており（Ｓ６１；Ｎｏ）、類似画像群４に対し第１の操作が行われると（Ｓ６１；Ｙｅｓ）、その類似画像群４について第１の表示状態から図９（ｂ）に示す第２の表示状態へ変更する（Ｓ６２）。
【００５２】
第１の操作は、例えば、類似画像群４のタップ（クリック）やダブルタップ（ダブルクリック）、スワイプ、ピンチアウト等といった操作のうち少なくともいずれかとすることができる。
【００５３】
画像出力受付端末１は、図９（ｂ）に示す第２の表示状態において、プリントする画像３３の選択を受付ける（Ｓ６３）。第２の表示状態では、低評価の画像３３が第１の表示状態から拡大して表示されるので、その内容をより容易に確認することが可能になり、後述する選択操作も行いやすくなる。
【００５４】
Ｓ６３において例えばいずれかの画像３３がタップ等の操作により選択されると、画像出力受付端末１は、その選択を受付けて、図１０（ａ）に示すように、選択された画像３３のチェックボックス６に選択されていることを示すマーク（選択マーク６４）を表示する（Ｓ６４）。選択を解除するには、例えば、選択された画像３３に対し選択時の操作と同じ操作を再度行えばよい。
【００５５】
画像出力受付端末１は、第２の表示状態においてユーザによる第２の操作を待機しており（Ｓ６５；Ｎｏ）、類似画像群４に対し第２の操作が行われると（Ｓ６５；Ｙｅｓ）、その類似画像群４について第２の表示状態から第１の表示状態へ変更する（Ｓ６６）。
【００５６】
第２の操作は、例えば、類似画像群４に対するタップ（クリック）やダブルタップ（ダブルクリック）、スワイプ、ピンチイン等といった操作のうちいずれかとする。第１の操作と第２の操作は、異なる操作としてもよいし、同じ操作であってもよい。ただし、第２の操作は、プリントする画像３３を選択する際の操作と区別するため、当該操作とは異なるものとしておくことが望ましい。
【００５７】
ここで表示する第１の表示状態では、画像３３が選択されていることを示す表示が行われる。例えば図１０（ｂ）の６５に示すように、画像３３が選択されていることを示す選択中マークが表示される。ただし、画像３３が選択されていることを示す表示は特に限定されず、他とは異なる枠線を設けたり、点滅させたりしてもよい。
【００５８】
図１０（ｂ）は高評価の画像３３を選択した例であるが、低評価の画像３３を選択し、第２の操作を行った場合は、図１１（ａ）に示すように、第１の表示状態において、当該選択中の画像３３を前記の所定サイズ（図９（ａ）参照）及び第２の表示形態における当該画像３３の表示サイズ（図９（ｂ）参照）より大きく表示させる。図１１（ａ）の例では、高評価の画像３３と同サイズで表示させている。
【００５９】
これは、ユーザが選んだ画像３３は評価に関わらず重要な画像として目立つように表示させるべきだからである。同様の趣旨から、低評価の画像３３を選択し、第２の操作を行った場合に図１１（ｂ）に示すように当該選択中の画像３３のみ大きく表示し、その他の画像３３は評価値の高いものであってもそれより小さく表示するようにしてもよい。これは表示画面３０に表示スペースの制約がある場合に有効である。なお、図１１（ｂ）の例では高評価の画像３３と低評価且つ未選択の画像３３が同じ表示サイズで表示されており第１の表示状態には該当しないが（第３の表示状態）、前記した第１の操作を行うことで第２の表示状態に再度移行することができる。
【００６０】
フローの説明に戻る。画像出力受付端末１は、類似画像群４が第１の表示状態にあるときと第２の表示状態にあるときの両方において印刷ボタン３６の選択を待機しており（Ｓ６７Ａ；ＮｏまたはＳ６７Ｂ；Ｎｏ）、印刷ボタン３６が選択されると（Ｓ６７Ａ；ＹｅｓまたはＳ６７Ｂ；Ｙｅｓ）、選択中の画像３３をプリントする画像３３と決定する。これらの画像３３は先程のＳ７にてプリントされる。
【００６１】
以上説明したように、本実施形態によれば、画像出力受付端末１は、複数の画像３３を類似画像群４に分類するとともに、所定の基準に基づき画像３３を評価して、類似画像群４の中で高評価の画像３３を低評価の画像３３に比べて大きく表示する。このように高評価の画像３３は大きく、低評価の画像３３は小さく表示されるため、似ている画像群の中から良好な画像３３を選別する作業負担を軽減しつつ、低評価の画像３３も所定のサイズで表示することで閲覧可能となり、ユーザの好みや用途に応じた画像３３を効率よく選び出すことが可能となる。
【００６２】
また、本実施形態では、ユーザの操作に応じて、類似画像群４の画像３３を第１の表示状態から第２の表示状態へと変更し、その際、低評価の画像３３を上記所定のサイズと比べて大きく表示するので、小さく表示していた低評価の画像３３も、ユーザの操作に応じて大きなサイズに変更して見やすく表示させることができる。
【００６３】
また、本実施形態では、第２の表示状態において低評価の画像３３が選択され、ユーザによって第２の操作が行われた場合に、選択中の低評価の画像３３を前記した所定のサイズと比べて大きく表示するか、他の画像３３と比べて大きく表示するので、ユーザによって選択された画像３３を評価の低い画像３３であっても重要な画像として目立たせることが可能となる。
【００６４】
しかしながら、本発明はこれに限らない。例えば、第１の操作、第２の操作は前記したものに限らない。例えば表示画面３０に「開く」ボタン、「閉じる」ボタンを用意し、タップ操作等により類似画像群４を選択した状態で、これらのボタンのタップ操作等による選択を行うことで、第１の操作、第２の操作としてもよい。例えば「開く」ボタンの選択を第１の操作とし、「閉じる」ボタンの選択を第２の操作とする。
【００６５】
また、本実施形態では第２の表示状態でプリントする画像を選択可能にしているが、第１の表示状態でもプリントする画像を選択可能にしてよい。例えば図１２の例は、第１の表示状態で画像３３のタッチ操作等を行うことによりプリントする画像３３を選択した例であり、選択された画像３３に選択中マーク６５が付される。この場合、前記した第１の操作も、プリントする画像３３を選択する際の操作とは異なるものとしておくことが望ましい。
【００６６】
さらに、第１の表示形態における類似画像群４の画像３３の表示方法も特に限定されない。
【００６７】
例えば図１３（ａ）に示すように、他より大きく表示する画像３３は最も評価値の高いものに限らず、評価値の高い順に２枚あるいはそれ以上の枚数の画像３３を大きく表示してもよい。
【００６８】
また、図１３（ｂ）に示すように、類似画像群４内で低評価（小サイズ）の画像３３を上下に並べて表示してもよく、図１３（ｃ）に示すように高評価（大サイズ）の画像３３の上下左右に低評価の画像３３を配置してもよい。これらの場合、表示スペースが削減されるため、表示スペースが少なくても多くの画像３３を表示することができる。
【００６９】
また、図１３（ｄ）に示すように、類似画像群４内で評価の高さ順に画像３３を並べてもよい。この例では評価の高い画像３３から順に左から右へと整列される。この場合、評価の高い画像３３がよりわかりやすくなる。
【００７０】
さらに、図１３（ｅ）に示すように、画像３３のサイズは大小の２段階ではなく、３段階以上の多段階としてもよい。例えば図の例では、類似画像群４の画像３３を評価値に応じて３段階に分類し、評価値が高い方から大・中・小といった表示サイズとしている。
【００７１】
また、第２の表示状態における類似画像群４の画像３３の表示方法も特に限定されない。例えば図１４に示すように、低評価の画像３３が高評価の画像３３と同じサイズで表示されるが、高評価の画像３３が「いいね」マーク６２等によって低評価の画像３３と識別可能に表示されてもよい。これにより、各画像３３の評価の違いを示しながら低評価の画像３３についてさらに大きく表示し、より見やすく表示することができる。高評価の画像３３を低評価の画像３３と識別可能とする表示も特に限定されず、低評価の画像３３とは異なる枠線を設けたり、点滅させたりしてもよい。
【００７２】
また本実施形態では、画像出力受付端末１での表示の例について説明した。街頭や店頭に設置された画像出力受付端末１を利用してカメラやスマートフォンで撮影した画像をプリントする場合には同じ端末を多くの顧客で共用するために、顧客の待ち時間を削減するためにも画像をすばやく選択できることが望まれ、本実施形態は当該選択を支援できる点で特に望ましい。ただし、本発明の適用対象はこれに限らず、例えばユーザの携帯端末やパーソナルコンピュータ等のコンピュータ端末（画像表示装置）で写真整理アプリケーションを用いて端末に記憶された画像を整理したり、フォトブック作成アプリケーションを用いて端末に記憶された画像をレイアウトする際にも適用することが可能である。
【００７３】
例えば図１５は写真整理アプリケーションに係る表示画面３０ａの例であり、画像３３の他、読込み元入力欄３１、読込ボタン３２、移動先入力欄３４、移動ボタン３５等が表示される。表示画面３０ａでは、読込み元入力欄３１に読込み元のフォルダ名を入力し、読込ボタン３２を選択することで当該フォルダ内の画像３３がサムネイル表示され、前記の手順により画像３３の表示状態の変更と画像３３の選択を行うことができる。移動先入力欄３４で移動先のフォルダ名を入力し、移動ボタン３５を選択することで、移動先のフォルダに選択された画像３３のみを移動させることができる。フォトブック作成アプリケーションの場合は、移動先入力欄３４、移動ボタン３５の代わりにレイアウトボタン（不図示）を設け、選択された画像３３のレイアウト画面に移行することができる。
【００７４】
以上、添付図面を参照して、本発明に係る画像表示装置等の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７５】
１：画像出力受付端末
４：類似画像群
１０：制御装置
１１：表示部
１２：課金部
１３：プリンタ
１４：メディア入出力部
１５：通信部
１６：プリント物取出口
３０、３０ａ：表示画面
３３：画像
【図１】
2019053534.tif 000003
【図２】
2019053534.tif 000004
【図３】
2019053534.tif 000005
【図４】
2019053534.tif 000006
【図５】
2019053534.tif 000007
【図６】
2019053534.tif 000008
【図７】
2019053534.tif 000009
【図８】
2019053534.tif 000010
【図９】
2019053534.tif 000011
【図１０】
2019053534.tif 000012
【図１１】
2019053534.tif 000013
【図１２】
2019053534.tif 000014
【図１３】
2019053534.tif 000015
【図１４】
2019053534.tif 000016
【図１５】
2019053534.tif 000017